(57)【要約】      （修正有）【課題】複数の印画紙を折畳んで互いに接着して形成してなるアルバムを製造するべく印画紙を折畳むために従来の折り筋の形成とは異なる新規な折り筋を形成する折り筋形成装置を提供する。【解決手段】回転するカッタロール１６２に設けられた刃部によって折り筋を形成するものであって、折り筋は、印画紙の幅方向においてカット部とアンカット部とが交互に繰り返された断続的な切れ目となっており、且つカット部において切れ目は印画紙を厚み方向において貫通しない溝となっている。【選択図】図１
0003179664.tif 000002
【実用新案登録請求の範囲】
【請求項１】
複数の印画紙を折畳んで互いに接着してなるアルバムを製造するべく各印画紙を折畳むために折り筋を形成する折り筋形成装置であって、
折り筋を回転するロールに設けられた刃部によって形成し、該折り筋は、印画紙の幅方向においてカット部とアンカット部とが交互に繰り返された断続的な切れ目となっており、且つカット部において切れ目は印画紙を厚み方向において貫通しない溝となっていることを特徴とする折り筋形成装置。
【請求項２】
前記刃部は、刃が形成されたカット部と、刃が欠落したアンカット部が交互に整列して構成されることを特徴とする請求項１記載の折り筋形成装置。
【請求項３】
印画紙を、前記ロールの上流側から下流側に向けて搬送する搬送手段と、前記ロールの下流にあって印画紙の位置決めを行う位置決め手段と備え、該位置決め手段が印画紙の搬送方向に直交する方向に往復動して搬送面に対して出没可能となっており、位置決め手段が搬送面に突出したときに、印画紙の下流側の一辺に当接して印画紙の位置決めを行うことを特徴とする請求項１または２記載の折り筋形成装置。
【請求項４】
ロールが回転中は、前記位置決め手段は搬送面から退没して印画紙の移動を規制しないことを特徴とする請求項３記載の折り筋形成装置。
【請求項５】
前記溝は、４０°〜４５°の角度をなすＶ字状の溝であることを特徴とする請求項１ないし４のいずれか１項に記載の折り筋形成装置。
【考案の詳細な説明】
【技術分野】
【０００１】
本考案は、複数の印画紙を折畳んで互いに接着して形成してなるアルバムを製造するべく印画紙を折畳むための折り筋を形成する折り筋形成装置に関する。
【背景技術】
【０００２】
従来、アルバムを製本する製本装置としては、特許文献１に記載されたアルバム製本装置が知られている。特許文献１のアルバム製本装置においては、表面に画像が形成された長尺紙に対して、表面が外側になるように折る第１の折り筋（山折り部）と、表面が内側になるように折る第２の折り筋（谷折り部）とを、長尺紙の長手方向に交互に形成し、隣接する２つの第１の折り筋の間で１見開き頁を形成するようにジグザグ折りし、隣接する２つの第２折り筋との間で互いに対向する長尺紙の裏面同士を接着するようにしている。
【先行技術文献】
【特許文献】
【０００３】
【特許文献１】特開２００９−６１６９６号公報
【考案の概要】
【考案が解決しようとする課題】
【０００４】
上記特許文献１に記載の構成においては、山折り部となる第１の折り筋を形成するために、長尺紙を貫通するミシン目状の切れ目を長尺紙の幅方向に亘って形成しており、谷折り部となる第２折り筋を形成するために、長尺紙を貫通せずに、長尺紙の厚みのおよそ３０〜５０％程度の切り溝を長尺紙の幅方向に亘って形成している。
【０００５】
本考案は、印画紙を折畳むために従来の折り筋の形成とは異なる新規な折り筋を形成する折り筋形成装置を提供することを目的とする。
【課題を解決するための手段】
【０００６】
上記目的を達成するために、請求項１記載の本考案は、複数の印画紙を折畳んで互いに接着してなるアルバムを製造するべく各印画紙を折畳むために折り筋を形成する折り筋形成装置であって、
折り筋を回転するロールに設けられた刃部によって形成し、該折り筋は、印画紙の幅方向においてカット部とアンカット部とが交互に繰り返された断続的な切れ目となっており、且つカット部において切れ目は印画紙を厚み方向において貫通しない溝となっていることを特徴とする。
【０００７】
請求項２記載の考案は、請求項１記載のものにおいて、前記刃部は、刃が形成されたカット部と、刃が欠落したアンカット部が交互に整列して構成されることを特徴とする。
【０００８】
請求項３記載の考案は、請求項１または２記載のものにおいて、印画紙を、前記ロールの上流側から下流側に向けて搬送する搬送手段と、前記ロールの下流にあって印画紙の位置決めを行う位置決め手段と備え、該位置決め手段が印画紙の搬送方向に直交する方向に往復動して搬送面に対して出没可能となっており、位置決め手段が搬送面に突出したときに、印画紙の下流側の一辺に当接して印画紙の位置決めを行うことを特徴とする。
【０００９】
請求項４記載の考案は、請求項３記載のものにおいて、ロールが回転中は、前記位置決め手段は搬送面から退没して印画紙の移動を規制しないことを特徴とする。
【００１０】
請求項５記載の考案は、請求項１ないし４のいずれか１項に記載のものにおいて、前記溝は、４０°〜４５°の角度をなすＶ字状の溝であることを特徴とする。
【考案の効果】
【００１１】
本考案によれば、印画紙の幅方向においてカット部とアンカット部とが交互に繰り返された断続的な切れ目によって折り筋を形成するために、印画紙をその折り筋で折畳むときに、シャープに折畳むことができると共に、その強度を高くすることができる。従って、アルバムの頁を繰り返しめくる際の印画紙の開閉に対する耐久性を向上させることができる。
【図面の簡単な説明】
【００１２】
【図１】本考案の実施形態による折り筋形成装置を表す概略正面図である。
【図２】図１の折り筋形成装置のロータリ加工装置の説明図である。
【図３】（ａ）は図１の折り筋形成装置のロータリ加工装置の一部の説明斜視図であり、（ｂ）は（ａ）のロールの３ｂ部分拡大図、（ｃ）は（ｂ）のｃ−ｃ線に沿って見た断面図である。
【図４】（ａ）は印画紙の斜視図であり、（ｂ）は（ａ）の切れ目の４ｂ部分拡大図、（ｃ）は（ｂ）のｃ−ｃ線に沿って見た断面図である。
【図５】折り筋を利用して印画紙を折畳んだ状態を示す折畳んだ部分の拡大図であり、（ａ）は本考案によって切れ目を形成した場合を、（ｂ）は切れ目を形成しない場合を表す。
【図６】折畳んだ複数の印画紙を接着して形成されたアルバムの斜視図である。
【図７】連続的な切れ目により印画紙を折畳んだ状態を示す図である。
【考案を実施するための形態】
【００１３】
以下、図面を用いて本考案の実施の形態を説明する。
【００１４】
図１は、本考案の実施形態による折り筋形成装置１０を表している。図中左側が上流、右側が下流となっており、上流側から、銀塩写真現像等を用いて写真が付された印画紙Ｐがその表面を上にして、一枚毎に折り筋形成装置１０へと供給されるようになっている。ここで、印画紙の紙面に対して平行に且つ印画紙の搬送方向に垂直な方向を幅方向と定義することとする。また、印画紙の紙面のうちの写真が付されている側を表面とし、写真が付されていない側を裏面とする。
【００１５】
折り筋形成装置１０では、大別して、印画紙を搬入する搬入部１２と、印画紙を停止させて位置決めを行う位置決め部１４と、位置決めされた印画紙に対して折り筋を形成するロータリ加工装置１６と、折り筋を形成した印画紙を搬出する搬出部１８と、を備えている。
【００１６】
搬入部１２は、印画紙の表面を上にしてほぼ水平に印画紙を搬送する任意の搬送手段で構成することができ、例えば、送りベルト１２２と、送りベルト１２２上の印画紙を押さえる押え手段１２４と、送りベルト１２２を駆動する駆動手段１２６とを備える。駆動手段１２６は間歇的に駆動されて、ほぼ一定時間間隔で印画紙をロータリ加工装置１６へと送り込むようになっている。
【００１７】
位置決め部１４は、ロータリ加工装置１６の下流側にある搬出部１８にあって、複数のストッパ１４２と、ストッパ１４２を上下動させるための駆動手段１４４を備える。複数のストッパ１４２は、印画紙の幅方向に間隔をおいて整列されており（図３参照）、前記間歇的動作に同期して、上下動して搬出部１８の搬送面に出没可能となっている。ストッパ１４２が搬出部１８の搬送面に突出しているときに、印画紙の下流側の一辺に当接するようになっている。
【００１８】
ロータリ加工装置１６は、主として、図２に示すように、カッタロール１６２と、カッタロール１６２に対向するアンビルロール１６４と、を有しており、これらのロール１６２，１６４の間を印画紙が通過するようになっている。カッタロール１６２とアンビルロール１６４とは、伝達機構を介して駆動手段１６５に連結されており、駆動手段１６５からの駆動力が両ロールに伝達されるようになっている。
【００１９】
カッタロール１６２には、印画紙の幅方向に延びる刃部１６６が設けられる。ここで、カッタロール１６２はマグネットシリンダとフレキシブルダイとで構成することができ、フレキシブルダイを、磁力を利用してマグネットシリンダに巻回したものとすることができる。但し、フレキシブルダイ及びマグネットシリンダを用いずに、刃部１６６をカッタロール１６２に直接形成することも可能である。
【００２０】
詳細には図３（ｂ）に示したように、刃部１６６は、幅方向において、刃が形成されたカット部１６６ａと、刃が欠落したアンカット部１６６ｂとから構成され、カット部１６６ａとアンカット部１６６ｂとが交互に整列している。この刃部１６６が印画紙Ｐに対して食い込むことで、図４（ｂ）に示すような刃部１６６のカット部１６６ａに対応するカット部Ｐ１と、アンカット部１６６ｂに対応するアンカット部Ｐ２とからなる断続的な切れ目が印画紙Ｐの幅方向に形成されるようになっている。断続的な切れ目としては、１つのカット部Ｐ１の幅方向の長さをＬ１とし、１つのアンカット部Ｐ２の幅方向の長さをＬ２とすると、Ｌ１とＬ２が同程度のオーダの長さとなるように形成され、Ｌ１／Ｌ２＝０．５〜１．５とするとよく、具体的には、Ｌ１を０．２ｍｍ、Ｌ２を０．１５ｍｍ程度の大きさとすることができる。また、Ｌ１またはＬ２は、印画紙の厚みｄに対して、０．５〜１．５倍とすることができる。
【００２１】
カット部１６６ａにおいては、図３（ｃ）、図４（ｃ）に示したように、刃部１６６の刃角が４０°〜４５°程度の鋭利な角度となっており、これによって、カット部Ｐ１は４０°〜４５°程度の鋭利な角度をなす略Ｖ字状の溝となる。この刃角は通常の長尺紙に対して加工を行う刃の刃角（５０〜６０°）と比較して、小さいものとなっている。このため、溝の間口寸法を小さくすることができる。
【００２２】
ロータリ加工装置１６は、刃部１６６が印画紙に対してその厚みの途中まで食い込むようになっており、換言すれば、刃部１６６は印画紙を貫通しないようになっている。好ましくは、刃部１６６によって形成されるカット部Ｐ１の溝の深さは、印画紙の肉厚に対して３０〜６０％程度の深さとなるように、刃部１６６の印画紙への侵入深さが制御される。
【００２３】
搬出部１８は、搬入部１２と同様に、印画紙の表面を上にしてほぼ水平に印画紙を搬送する任意の搬送手段で構成することができ、例えば、複数のストッパ１４２の間を移動する複数の送りベルト１８２と、送りベルト１８２上の印画紙を押さえる押え手段１８４と、駆動手段１８６とを備える。駆動手段１８６は間歇的に駆動される。
【００２４】
折り筋形成装置１０の上流側には、印画紙供給部３０を備えることができる。印画紙供給部３０は、１枚以上の印画紙を積載して収納する収納部３２と送り出しロール３４と、これらを駆動する駆動手段とを備える。収納部３２は、印画紙の積載枚数に応じて、順次上昇するようになっており、最上方位置にある印画紙が常に送り出しロール３４に接触して印画紙を折り筋形成装置１０の搬入部１２に送り出し可能となっている。
【００２５】
また、折り筋形成装置１０の下流側には、折畳み装置４０を備えることができる。折畳み装置４０には、折畳みを行うための２つの挟着ロール対４２、４４と、印画紙の下流側の一辺に当接するストッパ４６と、ロールを駆動する駆動手段とを備える。搬出部１８から搬出された印画紙を挟着ロール対４２を通過させてストッパ４６で停止させると、折り筋形成装置１０で形成された折り筋の所で印画紙が折畳まれ、折畳まれた状態で、挟着ロール対４４を通過して、受け部４８へと排出される。
【００２６】
以上のように構成される折り筋形成装置１０を用いて、その処理手順を説明する。
【００２７】
まず、折り筋形成装置１０の搬入部１２には、前述のように、印画紙供給部３０の収納部３２に積載された印画紙が１枚ずつ送り出しロール３４によって送り出される。搬入部１２は、印画紙の下流側がロータリ加工装置１６を通過して、位置決め部１４の複数のストッパ１４２に当接するまで搬送する。このとき位置決め部１４の複数のストッパ１４２は搬送面より上方に突出しており、（図３（ａ）の仮想線参照）印画紙の下流側の一辺に当接するため、印画紙は複数のストッパ１４２によってその一辺が搬送方向に垂直になるように位置決めされる。よって、印画紙が搬送方向に対して傾斜していたとしても、その傾斜がストッパ１４２によって矯正されることとなる。
【００２８】
ストッパ１４２によって位置決めされた印画紙は、搬送方向中央部がロータリ加工装置１６のカッタロール１６２とアンビルロール１６４との間に位置づけられており、これらロール１６２、１６４が回転して、刃部１６６が印画紙の裏面に食い込み、折り筋となる切れ目を印画紙の幅方向に形成する。
【００２９】
ロール１６２、１６４が回転する時点では、ストッパ１４２は搬送面よりも引き込んでおり、（図３（ａ）の実線参照）搬入部１２の送りベルト１２２及び押え手段１２４と、搬出部１８の送りベルト１８２及び押え手段１８４とで印画紙を緩やかに押さえているが、この状態で印画紙は完全に拘束されてはおらず、ロール１６２、１６４が回転して刃部１６６が食い込んだときに印画紙は若干動いて刃部１６６の回転に対応することができる。
【００３０】
刃部１６６が印画紙に食い込んだ後、搬出部１８は搬送を開始する。このとき、一般的には印画紙に食い込んでいる刃部が抜けない懸念があり、特に、刃部１６６の刃角が小さいとその懸念が一層高まるが、本考案においては、印画紙が完全に拘束されていないこと及び刃部１６６はカット部１６６ａとアンカット部１６６ｂとから構成されていて印画紙に食い込んでいるのはカット部１６６ａのみであり、カット部１６６ａが比較的可撓性を持つことから、刃部１６６と印画紙との分離が円滑に行われる。
【００３１】
こうして、印画紙を損傷させることなく、刃部１６６による切れ目の形成と搬出部１８による搬出動作とをほぼ連続させることが可能となるため、作業を効率化することができる。
【００３２】
搬出部１８によって搬出された印画紙は、前述のように下流の折畳み装置４０において挟着ロール対４２、４４を通過して、写真が付された表面を内側にして折り筋に沿って折畳まれる。このとき、カット部Ｐ１のＶ字状の溝が広がり、折畳みの外側輪郭を形成する。また、アンカット部Ｐ２は、隣接するカット部Ｐ１に追従して、折畳まれることとなる（図５（ａ）参照）。
【００３３】
こうして折畳まれた印画紙は、更なる処理に供される。更なる処理とは、裏面に接着剤を塗布し、それらを積層して、図６に示すようなアルバムに製本する作業である。
【００３４】
以上のような折り筋を断続的な切れ目とすることで、切れ目を形成せずに折り筋を設けたもの（図５（ｂ）参照）と比較して、シャープに即ち肉薄に折畳むことができる。印画紙は通常の紙と異なり、厚みが厚く且つ腰があるために、シャープに折畳むのが困難であるが、本考案によれば、シャープな折畳みを可能とし、よって複数の印画紙を重ねて製本したときの背のり部を綺麗な仕上げとすることができる。また、印画紙は、折り目に変色が発生する性質があるが、折り目部分が肉厚であると変色部分が大きくなり、見栄えが悪くなるのに対して、本考案によれば、シャープに折畳むことができるために、変色部分が小さくなり、見栄えを良好にすることができる。
【００３５】
また、連続的な切れ目を形成する場合と比較して、アンカット部Ｐ２があるために、印画紙の切れ目における自由度が小さく、折畳む際に、切れ目が必要以上に広がったりすることを防ぎ、正しく折り筋に沿って折畳むことができる。また、刃角が小さいために、カット部Ｐ１の溝の間口寸法が小さくなっており、一層、その効果が得られる。これに対して連続的な切れ目の場合、切れ目の自由度が高く、広がりやすいため、折り筋に沿って折畳んだとしても、図７に示すような折りずれを生じるおそれがあるが、本考案によれば、かかる折りずれを防止することができる。
【００３６】
また、連続的な切れ目であると、切れ目の部分がその後の処理において装置の爪状部材に引っかかったりするおそれがあり、また、切れ目の一部に損傷部位が発生したときに、そこから損傷が幅方向に進行して、割れ、めくれ、剥離、分離に発展するおそれがある。これに対して、本考案によれば、切れ目が断続的であるために、引っかかり難く、また、カット部の一部に損傷が発生したとしても損傷の進行を防ぐことができる。よって、連続的な切れ目を形成する場合と比較して、本考案の断続的な切れ目に基づいて形成された折り目は、見栄えを向上させることができると共に、製本された状態で、背のり部が損傷しにくく、繰り返し頁がめくられたとしても、折り筋の部分の強度が高いため、耐久性を向上させることができる。
【符号の説明】
【００３７】
１０  折り筋形成装置
１２、１８  搬送手段
１４  位置決め手段
１４２  ストッパ
１６２  カッタロール
１６６  刃部
１６６ａ  カット部
１６６ｂ  アンカット部
Ｐ    印画紙
Ｐ１  カット部
Ｐ２  アンカット部
ｄ  印画紙の厚み
【図１】
0003179664.tif 000003
【図２】
0003179664.tif 000004
【図３】
0003179664.tif 000005
【図４】
0003179664.tif 000006
【図５】
0003179664.tif 000007
【図６】
0003179664.tif 000008
【図７】
0003179664.tif 000009